(57)【特許請求の範囲】
【請求項１】
被写界から入射する光を複数の色成分毎に分割して測光する測光部、前記測光部によって測光された測光値を用いて、前記被写界を適切なカラーバランスによって撮影するための前記被写界の色情報を演算する色情報演算部及び前記色情報を表示する表示部を備えた測色機能付きカメラと、
特定の反射特性を有するとともに前記カメラの外部に配置されて前記被写界からの光を反射して前記測光部に入射する反射部材と、
特定の拡散特性を有するとともに前記被写界からの光を拡散して前記測光部に入射する、前記カメラのマウントに係合するマウントを有するか、前記カメラに装着される交換レンズの前面にレンズキャップ状にして装着可能な拡散部材とを備え、
前記反射部材と前記拡散部材とを使い分け可能としたこと
を特徴とする測色機能付きカメラシステム。
【請求項２】
請求項１に記載の測色機能付きカメラシステムにおいて、
前記拡散部材は、撮影レンズの光路中に配置可能であること
を特徴とする測色機能付きカメラシステム。
【請求項３】
請求項２に記載の測色機能付きカメラシステムにおいて、
前記拡散部材は、カメラボディの前面又は内部に取り付け可能であること
を特徴とする測色機能付きカメラシステム。
【請求項４】
請求項１に記載された測色機能付きカメラシステムにおいて、
前記測色機能付きカメラは、前記被写界の光量を測定し、その測定結果から適正露出値を演算する露出演算部と、
前記露出演算部の出力に基づいた露出機能及び前記色情報演算部の出力に基づいた測色機能のうちの一方の機能を選択する機能選択部と、
を備えたことを特徴とする測色機能付きカメラシステム。
【請求項５】
請求項４に記載の測色機能付きカメラシステムにおいて、
前記表示部は、前記機能選択部が前記測色機能を選択している場合には、前記色情報演算部の演算結果を表示する
ことを特徴とする測色機能付きカメラシステム。
【請求項６】
請求項４に記載の測色機能付きカメラシステムにおいて、
前記表示部は、前記機能選択部が前記露出機能を選択している場合には、少なくとも前記露出演算部によって演算された適正露出値であるシャッタ速度及び絞り値を表示する
ことを特徴とする測色機能付きカメラシステム。
【請求項７】
請求項１から請求項６までのいずれか１項に記載の測色機能付きカメラシステムにおいて、
前記表示部は、前記ファインダ内及び／又は前記カメラボディの外部において所定の表示を行う
ことを特徴とする測色機能付きカメラシステム。
【請求項８】
請求項１から請求項７までのいずれか１項に記載の測色機能付きカメラシステムにおいて、
前記測光部は、前記被写界から入射する前記光を、レッド、グリーン及びブルー、又は、イエロー、マゼンタ及びシアンに分離して測光する
ことを特徴とする測色機能付きカメラシステム。
【請求項９】
被写界から入射する光を複数の色成分毎に分割して測光する測光部、前記測光部によって測光された測光値を用いて、前記被写界を適切なカラーバランスによって撮影するための前記被写界の色情報を演算する色情報演算部及び前記色情報を表示する表示部を備えた測色機能付きカメラの使用方法であって、
特定の反射特性を有するとともに前記カメラの外部に配置されて前記被写界からの光を反射して前記測光部に入射する反射部材と、特定の拡散特性を有するとともに前記カメラのマウントに係合するか、前記カメラに装着される交換レンズの前面にレンズキャップ状にして装着可能な拡散部材とを使い分けて、前記被写界からの光を前記測光部に入射させることを特徴とする測色機能付きカメラの使用方法。
【発明の詳細な説明】
【０００１】
【発明の属する技術分野】
本発明は、被写界の色情報を測定可能な測色機能付きカメラシステム及びその使用方法に関するものである。
【０００２】
【従来の技術】
補正用のカラーフィルタは、被写体を適切なカラーバランスで撮影するために使用され、適正なカラーフィルタを選択するために、入射する光の色のバランスを測光する測色計が用いられていた。
この測色計は、例えば、被写体の色温度、その被写体を適正な色温度で撮影するためのライトバランシングファクタ及びカラーコンペンセイティングファクタ等の色情報を測定することができ、その得られた色情報から所定のカラーフィルタを選択するようにしていた。
【０００３】
【発明が解決しようとする課題】
しかし、前述した従来の測色計は、光源からの光を入射させて測定する入射光式であるために、被写体が撮影位置から離れているときには、わざわざ被写体の所まで測定に行くか、又は、測定することが不可能な場合があった。
また、従来の測色計は、光源のみの色情報しか得られない、という問題があった。
【０００４】
本発明は、アクセサリーを使い分けることによって、撮影者の意図した測色方法を使い分けることが可能な測色機能付きカメラシステム及びその使用方法を提供することを課題とする。
【０００５】
【課題を解決するための手段】
前記課題を解決するために、請求項１の発明は、被写界から入射する光を複数の色成分毎に分割して測光する測光部（７）、前記測光部によって測光された測光値を用いて、前記被写界を適切なカラーバランスによって撮影するための前記被写界の色情報を演算する色情報演算部（８）及び前記色情報を表示する表示部（９）を備えた測色機能付きカメラと、特定の反射特性を有するとともに前記カメラの外部に配置されて前記被写界からの光を反射して前記測光部に入射する反射部材（４１）と、  特定の拡散特性を有するとともに前記被写界からの光を拡散して前記測光部に入射する、前記カメラのマウントに係合するマウントを有するか、前記カメラに装着される交換レンズの前面にレンズキャップ状にして装着可能な拡散部材（４２）とを備え、前記反射部材と前記拡散部材とを使い分け可能としたことを特徴とする測色機能付きカメラシステムである。
【０００７】
請求項２の発明は、請求項１に記載の測色機能付きカメラシステムにおいて、前記拡散部材（４２）は、撮影レンズの光路中に配置可能であることを特徴とする測色機能付きカメラシステムである。
【０００８】
請求項３の発明は、請求項２に記載の測色機能付きカメラシステムにおいて、前記拡散部材（４２）は、カメラボディの前面又は内部に取り付け可能であることを特徴とする測色機能付きカメラシステムである。
【０００９】
請求項４の発明は、請求項１に記載された測色機能付きカメラシステムにおいて、前記測色機能付きカメラは、前記被写界の光量を測定し、その測定結果から適正露出値を演算する露出演算部と、前記露出演算部の出力に基づいた露出機能及び前記色情報演算部の出力に基づいた測色機能のうちの一方の機能を選択する機能選択部と、を備えたことを特徴とする測色機能付きカメラシステムである。
【００１０】
請求項５の発明は、請求項４に記載の測色機能付きカメラシステムにおいて、前記表示部は、前記機能選択部が前記測色機能を選択している場合には、前記色情報演算部の演算結果を表示することを特徴とする測色機能付きカメラシステムである。
【００１１】
請求項６の発明は、請求項４に記載の測色機能付きカメラシステムにおいて、前記表示部は、前記機能選択部が前記露出機能を選択している場合には、少なくとも前記露出演算部によって演算された適正露出値であるシャッタ速度及び絞り値を表示することを特徴とする測色機能付きカメラシステムである。
【００１２】
請求項７の発明は、請求項１から請求項６までのいずれか１項に記載の測色機能付きカメラシステムにおいて、前記表示部は、前記ファインダ内及び／又は前記カメラボディの外部において所定の表示を行うことを特徴とする測色機能付きカメラシステムである。
【００１３】
請求項８の発明は、請求項１から請求項７までのいずれか１項に記載の測色機能付きカメラシステムにおいて、前記測光部は、前記被写界から入射する前記光を、レッド、グリーン及びブルー、又は、イエロー、マゼンタ及びシアンに分離して測光することを特徴とする測色機能付きカメラシステムである。
【００１４】
請求項９の発明は、被写界から入射する光を複数の色成分毎に分割して測光する測光部、前記測光部によって測光された測光値を用いて、前記被写界を適切なカラーバランスによって撮影するための前記被写界の色情報を演算する色情報演算部及び前記色情報を表示する表示部を備えた測色機能付きカメラの使用方法であって、特定の反射特性を有するとともに前記カメラの外部に配置されて前記被写界からの光を反射して前記測光部に入射する反射部材と、特定の拡散特性を有するとともに前記カメラのマウントに係合するか、前記カメラに装着される交換レンズの前面にレンズキャップ状にして装着可能な拡散部材とを使い分けて、前記被写界からの光を前記測光部に入射させることを特徴とする測色機能付きカメラの使用方法である。
【００１６】
【発明の実施の形態】
以下、図面などを参照して、実施形態をあげて、本発明を詳細に説明する。
図１は、本実施形態に係るカメラシステムに使用する測色機能付きカメラを示す図である。
この測色機能付きカメラは、被写界の光が入射する撮影レンズ１と、この入射された光を上方に反射させる反射ミラー２と、この反射された光を結像するフォーカシングスクリーン３と、フォーカシングスクリーン３で結像した像を反射するペンタプリズム４と、その反射した像を観察者眼に導く接眼レンズ５と、ファインダ接眼部２０などとが備えられており、ファインダ接眼部２０を観察することによって、フォーカシングスクリーン３に結像した被写体を確認することができる。
【００１７】
また、測光レンズ６は、ペンタプリズム４から出てきた光を、測光素子７に入射させるレンズである。測光素子７は、この光を赤（ＲＥＤ）、緑（ＧＲＥＥＮ）及び青（ＢＬＵＥ）の各色成分毎に測光し、この各色成分毎の測光出力は、ＣＰＵ８に入力されている。
【００１８】
ＣＰＵ８は、測光素子７から入力された測光出力を用いて、被写体を適切なカラーバランスで撮影するために用いられる被写体の色情報、具体的には、色温度、ライトバランシングファクタ（ＬＢ値）及びカラーコンペンセイティングファクタ（ＣＣ値）を演算する手段である。
また、ＣＰＵ８は、通常のカメラ機能、例えば、測光素子７から入力された測光出力を用いて、適正露出値としてのシャッタ速度及び絞り値を演算し、その値を表示する命令や、シャッタ装置や絞り装置を駆動する命令を生成することができる。さらに、ＣＰＵ８は、レリーズボタン１２からの半押し、全押し信号により、前述した露出制御や、撮影レンズ１をＡＦ駆動するレンズ駆動装置（不図示）などの制御をすることができる。
【００１９】
表示装置９は、ＣＰＵ８において演算された色情報を含むパラメータを表示する装置であり、フォーカシングスクリーン３の像の下部に見える位置に配置されており、ファインダ接眼部２０を介して観察することができる。従って、撮影者は、ファインダを観察することによって、被写体とともに、表示装置９に表示されるパラメータを確認することができる。
【００２０】
選択ダイヤル１０は、露出機能などを含む通常カメラ機能モード（第１のモード）と、測色機能モード（第２のモード）のいずれかに切り換えるためのダイヤルである。この選択ダイヤル１０は、図１においては、カメラボディ３０の内部に示されているが、実際には、カメラボディ３０の外部に配置されている。
表示装置９は、選択ダイヤル１０によって、通常のカメラ機能が選択された場合には、シャッタ速度及び絞り値を表示し（ＥＸＰ）、測色計機能が選択された場合には、色温度、ライトバランシングファクタ及びカラーコンペンセイティングファクタ等の色情報を表示する（ＣＭ）。
レリーズボタン１２は、半押し状態によって、撮影準備動作を開始する半押しスイッチＳＷ１と、全押し状態によって、露出制御動作を開始する全押しスイッチＳＷ２とを備えている。
【００２１】
半押しタイマー１３は、半押しスイッチＳＷ１がオンしたときに、計時を開始し、オフされた場合にも、所定時間だけ撮影準備動作を継続させるためにタイマである。
外部表示装置１４は、表示装置９と同様な表示をカメラボディの外部で行なう装置である。
【００２２】
図２は、本実施形態に係るカメラのフォーカシングスクリーンを示す図である。このフォーカシングスクリーン３は、図１に示した反射ミラー２によって反射された被写体の光が結像する部材である。本実施形態の場合には、図１の測光素子７で測光される範囲は、フォーカシングスクリーン３における中央の領域３１の内部である。
【００２３】
図３は、本実施形態に係るカメラの測光素子を示す図である。この測光素子７は、ストライプフィルタを用いたワンチップ型のカラーセンサで構成されており、本実施形態においては、９分割した短冊形の光センサの前面に色フィルタが取り付けられている。
この測光素子７は、光センサ７１Ｒ，７２Ｒ，７３ＲにＲ（赤）のフィルタが、光センサ７１Ｇ，７２Ｇ，７３ＧにＧ（緑）の色フィルタが、光センサ７１Ｂ，７２Ｂ，７３ＢにＢ（青）の色フィルタがそれぞれ取り付けられている。従って、光センサ７１Ｒ〜７３Ｒは、Ｒ（赤）成分の測光出力を、光センサ７１Ｇ〜７３Ｇは、Ｇ（緑）成分の測光出力を、光センサ７１Ｂ〜７３Ｂは、Ｂ（青）成分の測光出力を、それぞれ得ることができる。これらの色成分毎の測光出力は、それぞれ加算され、Ｒ成分のセンサデータＤR 、Ｇ成分のセンサデータＤG 、Ｂ成分のセンサデータＤB として、ＣＰＵ８に送られる。
【００２４】
なお、本実施形態の測光素子７は、説明の便宜のために、９分割された短冊形の光センサの例で説明するが、実際には、入射した光の各色成分の情報を取り込むために、非常に多数に分割されており、さらに、ある程度ピントがぼける位置に設置されている。それによって、短冊形の各光センサには、それぞれ均一に光が当たるようになっている。
【００２５】
次に、本実施形態に係る測色機能付きカメラの動作を説明する。
まず、被写界の光は、撮影レンズ１を介して、カメラ内部に入射される。この入射された光は、反射ミラー２によって反射され、フォーカシングスクリーン３において結像される。この結像された光は、さらにペンタプリズム４において２回反射され、接眼レンズ５で像を結ぶ。撮影者は、この像をファインダ接眼部２０から観察することによって被写界を確認することができる。
また、ペンタプリズム４から出た光は、測光レンズ６によって測光素子７に入射される。測光素子７によって測定された測光値は、ＣＰＵ８に入力され、以下に示すような制御が行なわれる。
【００２６】
図４は、本実施形態に係る測色機能付きカメラの動作を示すメインフローチャートである。
図４の処理は、カメラのメインスイッチ（電源スイッチ）（不図示）がオンされた後に、レリーズスイッチＳＷ２がオンされるか、又は、半押しタイマ１３が起動しているときに開始される。すると、ステップＳ１において、被写体の測光処理が行われ、ステップＳ２に進む。
【００２７】
次に、ステップＳ２おいて、ＣＰＵ８は、選択ダイヤル１０が、シャッタ速度及び絞り値を表示する通常カメラ機能を選択しているか否かを判定する。選択ダイヤル１０が通常のカメラ機能を選択していると判断した場合には、ステップＳ３に進む。
【００２８】
ステップＳ３において、測光素子７から入力された測光値を用いて、被写界の適正露出値としてのシャッタ速度及び絞り値を演算し、ステップＳ４に進む。
ステップＳ４において、ＣＰＵ８は、シャッタ速度及び絞り値を表示装置９の所定の位置（後述する）に表示させ、動作を終了する。
【００２９】
一方、ステップＳ２において、選択ダイヤル１０が通常カメラ機能を選択していない（すなわち、測色機能を選択している）と判断された場合には、ステップＳ５に進む。
ステップ５において、ＣＰＵ８は、後述する図５〜図７に示す測色演算処理（ＬＢ値，色温度及びＣＣ値の演算処理）を実行し、動作を終了する。
【００３０】
図５は、本実施形態に係る測色機能付きカメラの測色処理サブルーチンの動作を示すフローチャートである。
ステップＳ３１において、再度、レリーズボタン１２の半押しスイッチＳＷ１がオン又は全押しスイッチＳＷ２がオンであるか否かを判断し、オンの場合には、ステップＳ３２に進み、オフの場合には、処理を終了する。ステップＳ３２では、半押しタイマ１３がオンして、ステップＳ３３に進む。
ステップＳ３３において、色情報演算を開始し、ステップＳ３４に進む。
ステップＳ３４において、色情報の演算が終了し、その色情報が出力されると、ステップＳ３５に進み、演算された色情報が表示装置９に表示される。
ステップＳ３６において、半押しタイマ１３がオフすると、再度、測色処理を実行するか（半押しスイッチＳＷ１又は全押しスイッチＳＷ２が再度オンとなっているか）否かを判断し、実行する場合には、ステップＳ３３に戻り、色情報の演算（ステップＳ３３）と、色情報の表示（ステップＳ３５）を更新する。
ステップＳ３７において、実行しない場合には処理を終了する。
【００３１】
図６は、図５に示したステップＳ３３の測色処理のうち、ＣＰＵ８が被写体の色情報のうち、ＬＢ値及び色温度を演算するとき行う動作を示すフローチャートである。
ＣＰＵ８は、ステップＳ１１において、測光素子７からのＢ成分のセンサデータＤB 、Ｇ成分のセンサデータＤG 及びＲ成分のセンサデータＤR を読み取り、ステップＳ１２において、ＤB とＤG の比であるＤＢＧ（＝ＤB ／ＤG ）を算出する。また、ステップＳ１３において、ＤR とＤG の比であるＤＲＧ（＝ＤR ／ＤG ）を算出する。
【００３２】
次に、ステップＳ１４において、２つの定数ＫLB1 ，ＫLB2 を用いて、ＬＢ値を計算する。ステップＳ１５において、計算したＬＢ値に基づいて、テーブルを参照しながら、色温度Ｔ［ケルビン］を求める。
【００３３】
この後に、選択ダイヤル１０によって、測色機能（ＣＭ）が選択されている場合は、図５のステップＳ３５において、表示装置９の所定の位置に、色温度（Ｔ）、ＬＢ値（ＬＢ）を表示する（その表示例については後述する）。
【００３４】
図７は、図５に示したステップＳ３３の測色処理のうち、ＣＰＵ８が被写体の色情報のうちＣＣ値を演算するときに行う動作を示すフローチャートである。
ＣＰＵ８は、ステップ２１において、測光素子７からのＢ成分のセンサデータＤB 、Ｇ成分のセンサデータＤG 及びＲ成分のセンサデータＤR を読み取り、ステップＳ２２において、ＤB とＤG の比であるＤＢＧ（＝ＤB ／ＤG ）を算出する。また、ステップＳ２３において、ＤR とＤG の比であるＤＲＧ（＝ＤR ／ＤG ）を算出する。
【００３５】
次に、ステップＳ２４において、２つの定数ＫCC1 ，ＫCC2 を用いて、ＣＣ値を計算して、リターンする。
その後に、選択ダイヤル１０によって、測色機能（ＣＭ）が選択されている場合は、図５のステップＳ３６において、表示装置９の所定の位置にＣＣ値（ＣＣ）を所定の位置に表示する（その表示例については後述する）。
なお、通常はＲ，Ｇ，Ｂをある適当な比率で測光に用いるが、本発明では、測色機能モード（第２のモード）にしたときに、上記の演算を行う。
また、図４のフローチャートに示すように、図５、図６及び図７に示す動作は、選択ダイヤル１０によって測色機能が選択されている場合にのみ行われる。
【００３６】
図８は、図１の接眼レンズ５を介して、撮影者がカメラのファインダ接眼部２０内において見ることができるフォーカシングスクリーン３及び表示装置９の表示例を示す図である。
表示装置９は、ファインダ内において、フォーカシングスクリーン３の下部に配置されている。この実施形態においては、切換ダイヤル１０によって第２のモードにされており、図８の表示装置９内の表示部９ａに色温度（Ｔ）が、表示部９ｂにＬＢ値（ＬＢ）が、さらに、表示部９ｃにカラーコンペンセイティングファクタであるＣＣ値（ＣＣ）が、それぞれ表示される。
【００３７】
図９（ａ）、（ｂ）は、選択ダイヤル１０が通常カメラ機能と測色機能のいずれかに選択されているときの、表示装置９の表示状態を示す図である。
図９（ａ）は、選択ダイヤル１０が通常カメラ機能（ＥＸＰ）に選択されているときの表示例であり、表示部９ｄにはシャッタ速度が、表示部９ｅには絞り値が、それぞれ表示されている。
【００３８】
図９（ｂ）は、測色機能（ＣＭ）に選択されたときの表示例であり、表示部９ａには色温度（Ｔ）が、表示部９ｂにはＬＢ値（ＬＢ）が、さらに、表示部９ｃにはＣＣ値（ＣＣ）が、それぞれ表示されている。
【００３９】
図１０は、本実施形態に係る測色機能付きカメラの使用方法を示す図である。図１０（ａ）は、標準白色の反射板４１を用いて、光源からの被写界光を反射させて測色する方法を示している。
本実施形態では、標準白色の反射盤４１を用いたが、撮影する際には、撮影者が白く撮りたいものの反射光を測光することにより、撮影者の意図が反映された色バランスを演算することが可能となる。
また、ここで述べた光源は、被写界光の光源であり、もちろん、これに限定されるものではない。
【００４０】
図１０（ｂ）は、カメラボディ５１の前面に乳白色の拡散板４２を装着して、光源からの光を入射させて測色する方法を示している。
なお、本実施形態では、拡散板４２は、カメラボディ５１前面に装着させたが、ボディ内部の適当な位置に配置させてもよい。例えば、ファインダスクリーン上に、拡散板４２を配置させてもよい。また、ボディ側マウントに係合するようなマウントをもっていてもよい。
【００４１】
図１０（ｃ）は、交換レンズ５２の前面に、乳白色の拡散板４２を装着して、光源からの光を入射させて測色する方法を示している。
なお、本実施形態では、拡散板４３は、交換レンズ５２の前面に装着したが、レンズキャップ状にして、着脱できるようにしてもよい。また、この拡散板４３は、交換レンズ５２の光路中あるいは後端面に装着してもよい。
【００４２】
以上説明した実施形態に限定されることなく、種々の変形や変更ができ、それらも本発明の均等の範囲内である。
例えば、色情報の表示は、表示装置９によってファインダ内で観察できる位置ではなく、外部表示装置１４（図１参照）のように、カメラボディ３０の外部に設けられた配置にすることも可能である。
また、測光素子は、赤、緑及び青色に入射する例によって説明したが、それらの補色であるイエロー、マゼンタ及びシアンに分離するようにしてもよい。
【００４３】
【発明の効果】
以上のように、本発明の測色機能付きカメラシステムによれば、反射部材又は拡散部材を使い分けることによって、撮影者の意図した測定方法を簡単に行うことができるようにしたので、被写体が撮影位置から離れているときに、わざわざ被写体の所まで行く必要がなくなり、操作性が向上する。
また、レンズの色味を加味した色情報が得られるために、撮影者の行動範囲が更に広がる。
【図面の簡単な説明】
【図１】本実施形態に係るカメラシステムに使用する測色機能付きカメラを示す図である。
【図２】図１のフォーカシングスクリーン３上の測色範囲の例を示す図である。
【図３】図１の測光素子７の構成例を示す図である。
【図４】図１の実施形態の動作を説明するメインフローチャートである。
【図５】図４のステップＳ５の測色処理サブルーチンを示すフローチャートである。
【図６】図５のステップＳ３３の色情報演算処理のうち、色温度及びＬＢ値を演算する動作を説明するフローチャートである。
【図７】図５のステップＳ３３の色情報演算処理のうち、ＣＣ値を演算する動作を説明するフローチャートである。
【図８】図１の接眼レンズ５を介して見られるフォーカシングスクリーン３及び表示装置９の表示例を示す図である。
【図９】選択ダイヤル１０が通常カメラ機能と測色機能のいずれかに選択されているときの、表示装置９の表示状態を示す図である。
【図１０】本実施形態に係る測色機能付きカメラの使用方法を示す図である。
【符号の説明】
１  撮影レンズ
２  反射ミラー
３  フォーカシングスクリーン
４  ペンタプリズム
５  接眼レンズ
６  測光レンズ
７  測光素子
７１Ｒ〜７３Ｒ，７１Ｇ〜７３Ｇ，７１Ｂ〜７３Ｂ  光センサ
８  ＣＰＵ
９  表示装置
１０  選択ダイヤル
１１  フィルム
１２  レリーズボタン
１３  レンズ駆動装置
１４  外部表示装置
２０  ファインダ接眼部
３１  測色範囲
４１  反射板
４２  拡散板
５１  カメラボディ
５２  交換レンズ
【図１】
0004288393.tif 000002
【図２】
0004288393.tif 000003
【図３】
0004288393.tif 000004
【図４】
0004288393.tif 000005
【図５】
0004288393.tif 000006
【図６】
0004288393.tif 000007
【図７】
0004288393.tif 000008
【図８】
0004288393.tif 000009
【図９】
0004288393.tif 000010
【図１０】
0004288393.tif 000011